(57)【特許請求の範囲】
【請求項１】
紙、プラスチック等のシートを切断するカッティング装置であって、
キャリッジと、カセットホルダーと、カセットと、を含んでおり、
上記キャリッジが、レールに沿って摺動するためのものであり、
上記カセットホルダーが、キャリッジに係合可能なものであり、
上記カセットが、切刃を包み込んでおり、且つ、カセットホルダーに保持されている状態で、カセットホルダーとキャリッジとを係合させることにより、切刃の刃先をむき出しにするように、キャリッジと協働可能になっており、
カセットが、切刃を完全に覆うカバーを包含しており、カバーが、刃先を隠すように弾性的に付勢されており、
カバーが、第１、第２カバー部材を含んでおり、第１、第２カバー部材が、切刃の両側を覆っており、該第１、第２カバー部材は、個々に摺動して切刃の刃先をむき出しにすることができる、カッティング装置。
【請求項２】
カバーが、切刃に対して移動可能なものであり、且つ、切刃の刃先をむき出しにするカバーの動作を生じるようにキャリッジの部分と係合可能な部分を有している、請求項１に記載のカッティング装置。
【請求項３】
キャリッジの部分が、傾斜部を含んでおり、該傾斜部が、カバーを異なる向きに動かすように、カバーの部分と係合する、請求項２に記載のカッティング装置。
【請求項４】
カバーが、切刃に平行な向きに、切刃に対して摺動可能になっている、請求項２に記載のカッティング装置。
【請求項５】
第１カバー部材が、切刃の刃先の対応する側をむき出しにする第１カバー部材の動作を生じるように、上記係合によってキャリッジの上記部分と係合可能な上記部分を、有している、請求項２に記載のカッティング装置。
【請求項６】
更に、キャリッジとカセットホルダーとの内の１つの上に操作部を包含しており、操作部は、上記係合の後に、続いて、切刃の刃先の対応する側をむき出しにするように、第２カバー部材を移動するように設けられている、請求項５に記載のカッティング装置。
【請求項７】
操作部が、カセットホルダーに設けられている、請求項６に記載のカッティング装置。
【請求項８】
操作部が、第２カバー部材を移動するために、第２カバー部材の部分と係合可能な部分を有しており、２つの部分が、カムとカムフォロアとである、請求項６に記載のカッティング装置。
【請求項９】
操作部の部分が、第２カバー部材の部分に間接的に係合しており、且つ、第２カバー部材を動かすように回転するカムを含んでいる、請求項８に記載のカッティング装置。
【請求項１０】
操作部が、固定器具を内蔵しており、且つ、操作部が、また、キャリッジの他の部分とカセットホルダーとを連結するため、固定器具を動かすように設けられており、これによって、キャリッジとカセットホルダーを固定する、請求項６に記載のカッティング装置。
【請求項１１】
操作部が、カセットホルダーに備えられており、固定器具が、カセットを保持し、且つ、第２カバー部材を動かすために、第２カバー部材と係合するようになっているものである、請求項１０に記載のカッティング装置。
【請求項１２】
カセットが、支持部材と、弾性ラッチと、を包含しており、
上記支持部材が、切刃を支持するものであり、
上記弾性ラッチが、支持部材とカバーとの間に設けられており、切刃に対するカバーの上記動作を止めるものであり、該ラッチは、カセットがカセットホルダーに保持された時に、カセットホルダーの部分によって解除可能なものである、請求項２に記載のカッティング装置。
【請求項１３】
カバーが、切刃の刃先を隠すようにバネによって弾性的に付勢されており、ラッチが、支持部材とカバーの１方に設けられており、且つ、カセットをカセットホルダーから除去した時にバネによるカバーの復帰によって、ラッチが前に係合していた、支持部材とカバーの他方の隣接部分と、再係合可能になっている、請求項１２に記載のカッティング装置。
【請求項１４】
各カバー部材が、切刃に対する個々の動作に抗し、それぞれ、上記ラッチによって、ラッチされており、且つ、カセットホルダーが、ラッチをそれぞれ解除する２つの上記部分を有している、請求項１２に記載のカッティング装置。
【請求項１５】
第１カバー部材用のラッチが、第１カバー部材に備えられた弾性的に付勢されたラッチである、請求項１４に記載のカッティング装置。
【請求項１６】
第２カバー部材用のラッチが、支持部材に備えられた弾性的に変形可能なラッチである、請求項１４に記載のカッティング装置。
【請求項１７】
切刃が、回転式カッティングディスクを含んでおり、カッティングディスクが、回転軸中心で支持されている、請求項１に記載のカッティング装置。
【請求項１８】
キャリッジとカセットホルダーとは、カセットがカセットホルダーに保持され、且つ、カセットホルダーがキャリッジに係合した時、それぞれ、支持軸の反対側を支持するものである、請求項１７に記載のカッティング装置。
【請求項１９】
通路に沿って動かすため、カッターカセットを運ぶキャリッジを有している回転式紙トリマーで用いる、カッターカセットであって、
回転式切刃と、切刃を覆うカバーと、を含んでおり、
カセットが、上記キャリッジに係合することにより、切刃の刃先をむき出しにするように、上記キャリッジと協働可能になっており、
カバーが、切刃を完全に包み込んでおり、且つ、刃先を隠すように弾性的に付勢されており、
カバーが、切刃の両側を覆う第１、第２カバー部材を含んでおり、該第１、第２カバー部材は、個々に摺動して切刃の刃先をむき出しにすることができる、カッターカセット。
【請求項２０】
カバーが、切刃に対して移動可能なものであり、且つ、部分を有しており、該部分が、切刃の刃先をむき出しにするカバーの動作を生じるために、上記係合時に、上記キャリッジの部分と係合可能なものである、請求項１９に記載のカッターカセット。
【請求項２１】
カバーが、切刃に平行に、切刃に対して摺動可能になっている、請求項２０に記載のカッターカセット。
【請求項２２】
第１カバー部材が、上記部分を有しており、該部分が、切刃の刃先の対応する側をむき出しにする第１カバー部材の動作を生じるように、上記係合時に、キャリッジの上記部分に係合可能なものである、請求項１９に記載のカッターカセット。
【請求項２３】
第２カバー部材が、上記係合に続いて、上記キャリッジのカムによって、切刃の刃先の対応する側をむき出しにする動作を行うためのカムフォロアを有している、請求項２２に記載のカッターカセット。
【請求項２４】
支持部材と、弾性ラッチと、を包含しており、
上記支持部材が、切刃を支持するものであり、
上記弾性ラッチが、支持部材とカバーとの間に設けられており、切刃に対するカバーの上記動作を止めるものであり、該ラッチは、カセットがカセットホルダーに保持された時に、キャリッジと協働するカセットホルダーの部分によって解除可能なものである、請求項２０に記載のカッターカセット。
【請求項２５】
カバーが、切刃の刃先を隠すようにバネによって弾性的に付勢されており、ラッチが、支持部材とカバーの１方に設けられており、且つ、カセットをカセットホルダーから除去した時にバネによるカバーの復帰によって、ラッチが前に係合していた、支持部材とカバーの他方の隣接部分と、再係合可能になっている、請求項２４に記載のカッターカセット。
【請求項２６】
各カバー部材が、切刃に対する個々の動作に抗し、それぞれ、上記ラッチによって、ラッチされており、且つ、ラッチは、カセットホルダーの各部によりそれぞれ解除されることができるようになっている、請求項２４に記載のカッターカセット。
【請求項２７】
第１カバー部材用のラッチが、第１カバー部材に備えられた弾性的に付勢されたラッチである、請求項２６に記載のカッターカセット。
【請求項２８】
第２カバー部材用のラッチが、支持部材に備えられた弾性的に変形可能なラッチである、請求項２６に記載のカッターカセット。
【請求項２９】
切刃が、回転式カッティングディスクを含んでおり、カッティングディスクが、回転軸中心で支持されている、請求項１９に記載のカッターカセット。
【発明の詳細な説明】
【技術分野】
【０００１】
本発明は、紙、プラスチック等のシートを切断するカッティング装置に関するものである。
【背景技術】
【０００２】
より詳しくは、限定するものではないが、本発明は、回転式紙トリマーに用いるカッティング装置に関するものである。回転式紙トリマーは、概ね、ボードと、ボードに設けたレールと、回転式切刃と、を含む型のものであり、一枚の紙が、レール下の、ボード上に設けられ、且つ、刃がレールに沿って摺動可能であり、これによって、紙シートを切断するようになっているものである。
【発明の開示】
【発明が解決しようとする課題】
【０００３】
切刃は、交換可能であり、取り替え又は交換できる刃は、単体で、又は、異なる切断パターン用の刃一式に同梱された状態で、購入することができる。刃の交換は、危険な作業であり、指を傷つけるおそれがある。というのは、鋭い刃先が、刃の周り３６０度にわたって付いているからである。
【０００４】
本発明は、また、使用前に切刃から使用者を保護する安全カバーを有している、カッターカセットに関する。
【０００５】
本発明は、新たな、又は、そうでなくとも改善したカッターカセットと、同様のものを用いるカッティング装置とを提供することによって、上記問題又は欠点を、取り除き、又は、少なくとも緩和する、ということを目的とするものである。
【課題を解決するための手段】
【０００６】
本発明によると、提案された、紙、プラスチック等のシートを切断するカッティング装置は、キャリッジと、カセットホルダーと、カセットと、を含んでおり、上記キャリッジが、レールに沿って摺動するためのものであり、上記カセットホルダーが、キャリッジに係合可能なものであり、上記カセットが、切刃を包み込んでおり、且つ、カセットホルダーに保持されている時、カセットホルダーとキャリッジとの係合の間隔を詰めている間、切刃の刃先をむき出しにするように、キャリッジと協働可能になっている。
【０００７】
好ましくは、カセットが、切刃を完全に覆うカバーを包含しており、カバーが、刃先を隠すように、弾性的に付勢されているものである。
【０００８】
好ましくは、カセットが、切刃を完全に覆うカバーを包含しており、カバーが、切刃に対して移動可能なものであり、且つ、切刃の刃先をむき出しにするカバーの動作を生じるように、上記係合の間隔を詰めることによって、キャリッジの部分と係合可能な部分を有している。
【０００９】
より好ましくは、キャリッジの部分が、傾斜部を含んでおり、傾斜部が、上記係合の間隔を詰める向きに傾斜が設けられているものであって、カバーを異なる向きに動かすように、カバーの部分と係合するためのものである。
【００１０】
好ましい実施例では、カバーが、切刃に平行な向きに、切刃に対して摺動可能になっている。
【００１１】
より好ましくは、カバーは、第１、第２カバー部材を含んでおり、第１、第２カバー部材が、切刃の両側を覆っている。
【００１２】
更に、より好ましくは、第１、第２カバー部材が、個々に摺動可能であり、第１カバー部材が、切刃の刃先の対応する側をむき出しにする第１カバー部材の動作を生じるように、上記係合の間隔を詰めることによってキャリッジの上記部分と係合可能な上記部分を、有している。
【００１３】
また、更に、好ましくは、カッティング装置は、キャリッジとカセットホルダーとの内の１つの上に操作部を包含しており、操作部は、上記係合の間隔を詰めた後に、続いて、切刃の刃先の対応する側をむき出しにするように、第２カバー部材を移動するように設けられている。
【００１４】
また、更に、好ましくは、操作部が、カセットホルダーに設けられている。
【００１５】
また、更に、好ましくは、操作部が、第２カバー部材を移動するために、第２カバー部材の部分と係合可能な部分を有しており、２つの部分が、カムとカムフォロアとである。
【００１６】
なお、更に、好ましくは、操作部の部分が、第２カバー部材の部分に間接的に係合しており、且つ、第２カバー部材を動かすように回転するカムを含んでいる。
【００１７】
更に、より好ましくは、操作部が、固定器具を内蔵しており、且つ、操作部が、また、キャリッジの他の部分とカセットホルダーとを連結するため、固定器具を動かすように設けられており、これによって、キャリッジを備えているカセットホルダーを固定する。
【００１８】
なお、更に、より好ましくは、操作部が、カセットホルダーに固定器具を備えており、固定器具が、カセットを保持し、且つ、第２カバー部材を動かすために、第２カバー部材と係合するようになっているものである。
【００１９】
好ましくは、カセットが、支持部材と、弾性ラッチと、を包含しており、上記支持部材が、切刃を支持するものであり、上記弾性ラッチが、支持部材とカバーとの間に設けられており、切刃に対するカバーの上記動作を止めるものであり、該ラッチが、カセットをカセットホルダーに保持することによって、カセットの部分によって解除可能なものである。
【００２０】
更に、好ましくは、カバーが、切刃の刃先を隠すようにバネによって弾性的に付勢されており、ラッチが、支持部材とカバーとの内の１つに設けられており、且つ、カセットをカセットホルダーから除去することによって、そして、バネによるカバーの復帰によって、ラッチが前に係合していた、支持部材とカバーとの内の上記ラッチが設けられているものとは異なるものの隣接部分と、再係合可能になっている。
【００２１】
更に、好ましくは、カバーが、切刃の両側を覆う第１、第２カバー部材を含んでおり、各カバー部材が、切刃に対する個々の動作に抗し、それぞれ上記ラッチによって、ラッチされており、且つ、カセットホルダーが、ラッチをそれぞれ解除する２つの上記部分を有している。
【００２２】
ある例では、第１カバー部材用のラッチが、第１カバー部材で弾性的に付勢されたラッチである。
【００２３】
別の例では、第２カバー部材用のラッチが、支持部材で弾性的に付勢されたラッチである。
【００２４】
好ましい実施例では、切刃が、回転式カッティングディスクを含んでおり、カッティングディスクが、回転軸中心で支持されている。
【００２５】
より好ましくは、キャリッジとカセットホルダーとが、カセットがカセットホルダーに保持され、且つ、カセットホルダーがキャリッジに係合した時、それぞれ、支持軸の反対側を支持するものである。
【００２６】
本発明は、また、通路に沿って動かすため、カッターカセットを運ぶキャリッジを有している回転式紙トリマーで用いる、カッターカセットであって、回転式切刃と、切刃を覆うカバーと、を含んでおり、カセットが上記キャリッジに係合している間、切刃の刃先をむき出しにするように、上記キャリッジと協働可能になっている、カッターカセットを提供するものである。
【００２７】
より好ましくは、カバーが、切刃を完全に包み込んでおり、且つ、刃先を隠すように弾性的に付勢されているものである。
【００２８】
より好ましくは、カバーが、切刃を完全に包み込んでおり、切刃に対して移動可能なものであり、且つ、部分を有しており、該部分が、切刃の刃先をむき出しにするカバーの動作を生じるために、上記係合によって、上記キャリッジの部分と係合可能なものである。
【００２９】
好ましい実施例では、カバーが、切刃に平行に、切刃に対して摺動可能になっている。
【００３０】
より好ましくは、カバーが、切刃の両側を覆う第１、第２カバー部材を含んでいる。
【００３１】
更に、より好ましくは、第１、第２カバー部材が、個々に摺動可能であり、第１カバー部材が、上記部分を有しており、該部分が、切刃の刃先の対応する側をむき出しにする第１カバー部材の動作を生じるように、上記係合によって、キャリッジの上記部分に係合可能なものである。
【００３２】
なお、更に、好ましくは、第２カバー部材が、上記係合に続いて、上記キャリッジのカムによって、切刃の刃先の対応する側をむき出しにする動作を行うためのカムフォロアを有している。
【００３３】
好ましくは、カッティングカセットが、支持部材と、弾性ラッチと、を包含しており、支持部材が、切刃を支持するものであり、弾性ラッチが、支持部材とカバーとの間に設けられており、切刃に対するカバーの上記動作を止めるものであり、該ラッチが、カセットをカセットホルダーに保持することによって、カセットの部分によって解除可能なものである。
【００３４】
更に、好ましくは、カバーが、切刃の刃先を隠すようにバネによって弾性的に付勢されており、ラッチが、支持部材とカバーとの内の１つに設けられており、且つ、カセットをカセットホルダーから除去することによって、そして、バネによるカバーの復帰によって、ラッチが前に係合していた、支持部材とカバーとの内の上記ラッチが設けられているものとは異なるものの隣接部分と、再係合可能になっている。
【００３５】
更に、好ましくは、カバーが、切刃の両側を覆う第１、第２カバー部材を含んでおり、各カバー部材が、切刃に対する個々の動作に抗し、それぞれ上記ラッチによって、ラッチされており、且つ、カセットホルダーが、ラッチをそれぞれ解除する２つの上記部分を有している。
【００３６】
ある例では、第１カバー部材用のラッチが、第１カバー部材で弾性的に付勢されたラッチである。
【００３７】
別の例では、第２カバー部材用のラッチが、支持部材で弾性的に付勢されたラッチである。
【００３８】
好ましい実施例では、切刃が、回転式カッティングディスクを含んでおり、カッティングディスクが、回転軸中心で支持されている。
【発明を実施するための最良の形態】
【００３９】
本発明は、添付の図面を参照しつつ、一例として、より詳しく説明される。
【００４０】
図を参照すると、本発明を具体化した、紙、プラスチック等のシートを切断するためのカッティング装置が示されている。カッティング装置は、キャリッジ１２と、カセット（又はカートリッジ）ホルダー１１と、カッターカセット（又はカートリッジ）１０とを含んでいる。カセットホルダー１１は、キャリッジ１２と係合可能なものである。カセット１０は、切刃を、回転式カッティングディスク１４の形で包んでおり、該ディスク１４は、軸１６によって中心が支持されており、軸１６周りに回転自在になっている。カッティングディスク１４がステンレス製であることを除けば、大半の他の構成要素は、プラスチック材で成形されている。
【００４１】
キャリッジ１２は、使用時、カッティングディスク１４をレール７に沿って摺動するように搬送するために、回転式紙トリマー９のレール７上に取り付けられる（図３５、図３６）。キャリッジ１２の構成は、比較的簡単なものであり、直立状態にある概ね平らな円筒状の本体を有している。本体は、開口正面と、開口している底と、レール７上に摺動可能に取り付けるために隣接する溝が切られた基盤と、を有している。キャリッジ１２は、左右の内側に、傾斜部２０と、平らな突起１９と、を包含している。傾斜部２０は、水平面から本体にかけて上方に傾斜している。平らな突起１９は、傾斜部２０の低い外側端から下方に伸びている（図２）。また、後壁の内面の低い位置に、小さな中央凹所４０がある。
【００４２】
カセットホルダー１１は、また、直立状態にある概ね平らな本体を有している。本体は、開口正面と、開口している底と、を有している。カセットホルダー１１は、キャリッジ１２と互いの正面が向き合う状態（図２）でキャリッジ１２に差し込み、例えば、紙トリマー９のボード８上に載置されている紙シートを、切断するためのカセット１０を収納する空間を、形成するように互いの間隔を詰めるために、キャリッジ１２よりも僅かに小さいものである。カセットホルダー本体は、小さな中央凹所４０と同等のものを有している。該凹所は、キャリッジ本体の凹所４０と位置調節されている。
【００４３】
カセット１０は、カセットホルダー１１が、キャリッジ１２に係合される前に（図３）、カセットホルダー１１の中に保持される（図１）。カセット１０は、カセットホルダー１１に保持されている時、カセットホルダー１１とキャリッジ１２の係合の間隔を詰めている間、カッティングディスク１４の底の刃先をむき出しにするように、キャリッジ１２と協働可能になっている。
【００４４】
カセット１０の２つの外側カバー２８／２９は、カッティングディスク１４の全体を保護している。カバー２８／２９は、ディスク１４に平行に、ディスク１４に対し上方に摺動可能になっており、通常、未使用時には、安全のために刃先を隠し、且つ、保護するように、弾性力によって下方に付勢されている。カバー２８／２９は、一対の第１、第２プラスチックカバーパネルによって形成されており、これらは、それぞれカッティングディスク１４の両側を覆っており、個々に摺動可能なものである。
【００４５】
カセット１０は、一対の第１、第２支持板３２、３０を含んでいる。第１、第２支持板３２、３０は、その間にカッティングディスク１４を支持しており、共にカバーパネル２８、２９の間に挟持されている。組立構造物において、第１支持板３２は、第１カバーパネル２８側に設けられており、第２支持板３０は、第２カバーパネル２９側に設けられている。
【００４６】
支持板３２、３０は、プラスチック軸受筒４４を置くように位置調節された孔を、有している。軸１６が軸受筒４４を通って伸びている。軸受筒４４の反対側の端は、カバーパネル２８、２９にまで達しており、それぞれ、その垂直方向のガイドスロット４８を通っている。軸受筒４４から突き出ている軸１６の反対側の端は、カセット１０が、カセットホルダー１１に保持され、且つ、カセットホルダー１１がキャリッジ１２に係合した時に、キャリッジ１２とカセットホルダー１１との、それぞれ位置調節された下側中央の凹所４０に係合し、且つ、支持されるように、それぞれ反対の向きにカバーパネル２８、２９を通っている。
【００４７】
カッティングディスク１４を収納する平らな間隙を除けば、支持板３２、３０は、互いに密着されている。支持板アッセンブリ３２／３０の２つのそれぞれ反対向きの外面の各々は、４つの一体形成されたピン４１を有している。これらのピン４１は、隣接する第１／第２カバーパネル２８／２９の垂直方向のガイドスロット４２を通っており、且つ、その後、カバーパネル２８／２９上に設けられている、最も外側にある金属製保護板２７の穴を通っている。これによって、２つのカバーパネル２８、２９は、支持板３２、３０と、中にあるカッティングディスク１４と（更には、保持板２７）、に対して摺動可能な状態で、共に固定される。
【００４８】
第２支持板３０は、一対の向かい合った、上方に伸びた左右の突起部分４９を有している。一対の突起部分４９は、限られた範囲で弾性的に曲げられるものであり、その先端は、それぞれ鍵状の端を形成するように厚くされている。
【００４９】
第１支持板３２は、突起部分４９の間に垂直方向に隣に並ぶ一対の長方形のフレームを有している。一対の長方形のフレームには、それぞれ圧縮コイルバネ３３が置かれている。この支持板３２は、一対の左右のショルダー部分を包含している。一対のショルダー部分は、それぞれ、水平の間隙によって間隔が開けられている、２つの横に突き出た突起（上方の突起は、参照番号２５で示されている）である。それぞれＬ字状の解除部材２６が、２つの突起内において摺動可能に設けられている。
【００５０】
カバーパネル２８、２９の各々は、その内面に、それぞれの上記フレームの底へと突き出している突起４３を有している。突起４３には、また、上方から、対応するバネ３３の力が作用しており、この結果、カバーパネル２８／２９がカッティングディスク１４に対して下方に摺動するように弾性的に付勢される。これによって、カバーパネル２８／２９は、カッティングディスク１４の底の刃先を隠している（図２７〜図３２）。
【００５１】
第１カバーパネル２８は、上方の位置に、一対の左右の耳１８を有している。一対の耳１８は、それぞれ反対の向きに横の外向きに突き出ている。耳１８は、互いに位置調節され、且つ、キャリッジ１２の傾斜部２０と位置調節がされている。
【００５２】
第１カバーパネル２８は、内面の左右に、２つの蝶番留めされた爪２１の形式の一対の弾性ラッチを包含している。各爪２１は、ねじりバネ２２によって、同じ側で、隣接する第１支持板３２の対応するショルダー部分の突起２５に係合する軸回転を行うように、弾性的に付勢されている。爪２１は、対応するショルダー部分の突起２５に係合し（図１４）、これによって、支持板３２、即ち、カッティングディスク１４に対するカバーパネル２８の上方への動作を止めるようにラッチしている（カッティングディスク１４の底の刃先は、依然として隠れた状態にある）。
【００５３】
蝶番留めされた爪２１の各々は、対応するショルダー部分の突起２５の直ぐ下に設けられている、解除部材２６によって解除される。該解除は、解除部材２６が（カセットホルダー１１のピン２４によって）内側に押され、爪２１が軸回転し、且つ、ショルダー部分の突起２５から離れた時に行われる（図１５）。該解除によって、第１カバーパネル２８が、非固定状態となり、且つ、カッティングディスク１４の底の刃先をむき出しにするために、上方に摺動することができるようになる（図１６）。
【００５４】
第２カバーパネル２９は、内面の左右に、一対の上方に傾斜した傾斜部４６を有している。一対の傾斜部４６は、それぞれ、第２支持板３０の対応する突起部分４９の鍵状の端に係合している。鍵状の端は、対応する傾斜部４６の上方で係合しており（図２０）、これによって、支持板３０、即ち、カッティングディスク１４に対するカバーパネル２９の上方への動作を止めるようにラッチしている（カッティングディスク１４の底の刃先は、依然として隠れた状態にある）。
【００５５】
垂直方向のスロット３４が、各突起部分４９の直ぐ後の第２カバーパネル２９に設けられている。突起部分４９は、スロット３４を通って、（カセットホルダー１１のピン３５によって）押され、且つ、その自らの弾性に抗して内側に湾曲されることによって、対応する傾斜部４６から、その鍵状の端を外すことができる。これによって、ラッチを行う突起部分４９は、解除され、且つ、第２カバーパネル２９は、非固定状態となると共に、カッティングディスク１４の底の刃先をむき出しにするように、上方に摺動することができるようになる（図２４）。
【００５６】
カセットホルダー１１を参照すると、回転ノブ１３の形式の手動操作部が、第２カバーパネル２９を移動するため、その本体の後壁１１Ａに設けられている。ノブ１３は、中央ねじによってカセットホルダー本体に固定されており、ねじが通る後壁１１Ａの中央カラー３１によって、９０度毎ねじについて回転できるようになっている（図４）。ノブ１３は、第２カバーパネル２９を上方に摺動させるために、その内面の、偏心位置に、カム３８を有している。カム３８は、カラー３１によって、９０度だけ回転できるように制限されている（図２５、図２６）。
【００５７】
カセットホルダー１１は、クレードル１７を包含しており、クレードル１７に面しているカセット１０の第２カバーパネル２９によって、カセット１０を保持するようになっている。クレードル１７は、カバーパネル２９に整合し、且つ、合うように形成されている。クレードル１７は、ノブ１３の反対側の、カセットホルダー本体の後壁１１Ａの内面に、後壁１１Ａの垂直方向の２つのスロットに、それぞれ２つのねじによって、上下方向に摺動可能なように、取り付けられている（図４）。図示されていないが、クレードル１７は、隠しバネによって下方に弾性的に付勢されている。
【００５８】
クレードル１７は、一対の左右の耳２３を有しており、且つ、上方後突起部３９を中央に包含している。突起部３９は、後壁１１Ａを通り、回転ノブ１３のカム３８に、カセットの第２カバーパネル２９と共に、上方に摺動するように、係合するカムフォロアとして機能する（図２５、図２６）。突起部３９は、中空になっており、且つ、クレードル１７と共にカバーパネル２９を摺動させるため、第２カバーパネル２９の接合突起部３６と係合する凹所３７を、クレードル１７の正面に形成している。回転ノブ１３のカム３８は、突起部３９を介して間接的に、カバーパネル２９を動かすように、第２カバーパネル２９に係合していることに注意する。
【００５９】
クレードル１７は、更に、一対の垂直方向のスロット３４Ａを包含している。一対のスロット３４Ａは、カセット１０がクレードル１７に保持されている時、第２カバーパネル２９の２つのスロット３４に位置合わせされる。一対の平らなピン３５は、カセットホルダー１１の後壁１１Ａから、それぞれ、スロット３４Ａを通るように、一体化して伸びている（図１３）。ピン３５は、上述した通り、ラッチを行う突起部分４９に位置調節されており、且つ、ラッチを行う突起部分４９を解除するのに用いられている（図２２、図２３）。
【００６０】
また、後壁１１Ａからは、一対のＬ字状ピン２４が突き出している。一対のピン２４は、クレードル１７の耳２３の上で、クレードル１７の左右を通るように伸びている。これらのピン２４は、上述した通り、ラッチを行う爪２１を解除するため、解除部材２６に位置調節され、且つ、解除部材２６を押し込むのに用いられている（図１５）。
【００６１】
カセット１０を使用する前、そのカバーパネル２８、２９の両方は、安全のため、内蔵バネ３３の作用によって、カッティングディスク１４の底の刃先を隠し、且つ、保護するように、最も下の位置に降りている。第１、第２カバーパネル２８、２９は、ラッチを行う爪２１と、突起部分４９と、によって、最も下の位置に固定されている。
【００６２】
使用時、カセット１０は、カセットホルダー１１がキャリッジ１２に係合する前に、カセットホルダー１１内に置かれる。カセット１０は、カセットホルダー１１の凹所４０に係合させるため、凹所４０に位置調節されたカッティングディスク軸１６の前端の向きに、（カセットホルダー１１の内側にある）クレードル１７に収められなければならない。カセット１０がクレードル１７に収められた時（図１３）、ホルダー１１のピン２４、３５と係合することによって、その第１、第２カバーパネル２８、２９が、同時に、上述したように、開けることができる状態になる（図１５、図２３）。
【００６３】
カセット１０を備えているカセットホルダー１１は、キャリッジ１２の凹所４０に係合させるため、凹所４０に位置調節されたカッティングディスク軸１６の他端と水平な向きに、キャリッジ１２に差し込まれなければならない。カセットホルダー１１がキャリッジ１２に差し込まれ、且つ、キャリッジ１２との間隔が詰められることによって、第１カバーパネル２８の耳１８が対応するキャリッジ１２の傾斜部２０に係合し、且つ、乗り上げた状態になり、これによって、カバーパネル２８がカッティングディスク１４の底の刃先をむき出しにするように上方に摺動される（図１７〜図１９）。
【００６４】
カセットを備えているカセットホルダー１１が、キャリッジ１２内に間隔を詰めるように押し込まれ、且つ、係合することで、カッティングディスク１４を支持している軸１６が、固定される。操作ノブ１３は、その後、時計回りに回転されることによって、カッティングディスク１４の刃先の残りの側をむき出しにするため第２カバーパネル２９を上方に摺動するように、クレードル１７内包物を持ち上げる（図２５、図２６）。クレードル１７が持ち上げられるのと同時に、その耳２３は、対応する突起１９に係合し、これによって、カセットホルダー１１は、キャリッジ１２に保持、固定され、且つ、カセット１０は、内側にしっかりと固定される。
【００６５】
カッティングディスク１４の底の刃先は、この時点で、両側が覆われていない状態であり、紙トリマー９のレール７に沿ってキャリッジ１２を摺動することによって、ボード８上の紙シート（図３４）を切断するのに用いることができる。
【００６６】
波状切断、ジグザグ状切断、そして、部分切断（即ち、連続して直線状に切断するもの以外の切断）のような、異なるパターンの切断を行うための異なる刃先を有するカッティングディスク１４を、組み込んだカセット１０は、必要に応じて、選択的に交換して用いることができるものである。
【００６７】
カセット１０を除去し、他のものと交換するため、ノブ１３は、反時計回りに回転されることによって、クレードル１７の耳２３をキャリッジ１２の突起１９から外し、カセットホルダー１１をキャリッジ１２から解除する。そうすることによって、第２カバーパネル２９は、対応するバネ３３の作用によって、（ノブのカム３８と）同時に復帰することができる。カセットホルダー１１をキャリッジ１２から引き離すことによって、カセットの耳１８は、キャリッジの傾斜部２０から離れ、これによって、第１カバーパネル２８が他のバネ３３によって、瞬時に復帰することができる。
【００６８】
カセット１０は、その結果、他のカセット１０と取り換えるために、カセットホルダーのクレードル１７から取り外すことができるようになる。カセット１０をクレードル１７から取り外すと同時に、その４つのラッチ２１、４９は、カセットホルダーのピン２４、３５から離れ、故に、それらは、瞬時に２つのカバーパネル２８、２９と再係合し、固定する。両方のカバーパネル２８、２９は、この時点で、カッティングディスク１４の底の刃先を隠し、且つ、保護するため安全に固定されている。
【００６９】
本発明は、非常に安全な交換カッターカセット（又はカートリッジ）を提供するものである。カセット内において、刃のカバー２８、２９は、カセット１０がカセットホルダー１１に組み込まれ、カセットホルダー１１が次にキャリッジ１２に組み込まれ、そして、ノブ１３が回転されるまでは、容易に刃先をむき出しにすることができないようになっている。カセットホルダー１１をキャリッジ１２に組み込むことによって、第１カバー部分２８は、刃先の一方の側をむき出しにするように自動的に摺動する。ノブ１３を回転させることによって、第２カバー部分２９は、また、自動的に刃先の他の側をむき出しにするように自動的に摺動し、且つ、カセットホルダー１１は、これによって、キャリッジ１２内に保持されることになる。使用者は、刃のカバー２８／２９に対して何もする必要がない。
【００７０】
カセットホルダー１１をキャリッジ１２の一部分として設けることは、予想されていることである。例えば、カセットホルダー１１は、蝶番留めされたふたのように、回動可能な状態でキャリッジ１２に取り付けることができる。カッターカセットをホルダー１１内に入れ、その後、ふたを閉めることによって、操作位置にカセットを取り付けることができる。
【００７１】
本発明は、一例が示されただけであり、記載された実施例の種々の変形例又は変更は、添付の請求項に定められているのと同様の発明の範囲から外れることなく、当業者によってなしうるものである。
【図面の簡単な説明】
【００７２】
【図１】本発明のカッティング装置の実施例のカセットホルダーに保持されているカッターカセットの後方斜視図である。
【図２】図１のカセットを備えているカセットホルダーの斜視図であって、カッティング装置のキャリッジを示す図である。
【図３】図２と同様の斜視図であって、キャリッジ内に係合された状態のカセットを備えているカセットホルダーを示している図である。
【図４】図３のカッティング装置の斜視図であって、その構成要素を分離したものを示している図である。
【図５】図３のカッティング装置の正面図であって、不動作状態にあるものを示している図である。
【図６】図５のカッティング装置のVI-VI線に沿う断面図である。
【図７】図５のカッティング装置のVII-VII線に沿う断面図である。
【図８】図３のカッティング装置の正面図であって、動作状態にあるものを示している図である。
【図９】図８のカッティング装置のIX-IX線に沿う断面図である。
【図１０】図８のカッティング装置のX-X線に沿う断面図である。
【図１１】図８のカッティング装置のXI-XI線に沿う断面図である。
【図１２】図１のカッターカセットの分解斜視図である。
【図１３】図１のカセットとカセットホルダーとの後方斜視図であって、係合する前の状態の図である。
【図１４】図１３のカセットとカセットホルダーとの部分的な内部構成図であって、一対のラッチを示している図である。
【図１５】図１４と同様の部分的な内部構成図であって、解除された状態にあるラッチを示している図である。
【図１６】図１５と同様の部分的な内部構成図であって、カセットの第１カバーを持ち上げることができるように解除されたラッチを示している図である。
【図１７】図１、図２のカセットとキャリッジとの前方斜視図であって、係合する前の状態を示す図である。
【図１８】図１７と同様の前方斜視図であって、係合されている構成部品と、第１カバーがどのように持ち上げられるのかと、を示している図である。
【図１９】図１８の側面図である。
【図２０】図１３のカセットとカセットホルダーの部分の後方斜視図である。
【図２１】図２０のカセットの反対側の斜視図である。
【図２２】図２０のカセットホルダーに保持されているカセットの側断面図であって、ラッチを示している図である。
【図２３】図２２と同様の断面図であって、ラッチが解除されている状態を示している図である。
【図２４】図２３と同様の断面図であって、カセットの第２カバーを持ち上げることができるように解除されたラッチを示している図である。
【図２５】図２３のカセットを備えているカセットホルダーの内側正面図である。
【図２６】図２５と同様の内側正面図であって、図２４のカセットを備えているカセットホルダーと、第２カバーがどのように持ち上げられるのかと、を示している。
【図２７】図１８、図２６のカセットの斜視図であって、バネによって下方に負荷がかけられている第１、第２カバーを示している。
【図２８】図２７と同様の斜視図であって、バネに抗して第１カバーを持ち上げている状態を示している。
【図２９】図２８と同様に斜視図であって、また、バネに抗して第２カバーを持ち上げている状態を示している。
【図３０】図２７のカセットの側断面図である。
【図３１】図２８のカセットの側断面図である。
【図３２】図２９のカセットの側断面図である。
【図３３】図２７のカセットの部分分解斜視図である。
【図３４】一枚の紙を切断しているカセットを示す斜視図である。
【図３５】主題であるカッティング装置を組み込んだ回転式紙トリマーの断片的な斜視図である。
【図３６】トリマーの全体を示す斜視図であって、カッティング装置が、どのように、トリマーのレールに沿って摺動可能であるのかを示している図である。
【符号の説明】
【００７３】
７  レール、９  紙トリマー、１０  カセット、１１  カセットホルダー、１２  キャリッジ、１３  ノブ、１４  カッティングディスク、１６  軸、１７  クレードル、１８、２３  耳、２０  傾斜部、２１  爪、２８  第１カバーパネル、２９  第２カバーパネル、３０  第２支持板、３１  中央カラー、３２  第１支持板、３３  バネ、３６  接合用突起、３７  凹所、３８  カム、３９  突起部。
【図１】
0005192670.tif 000002
【図２】
0005192670.tif 000003
【図３】
0005192670.tif 000004
【図４】
0005192670.tif 000005
【図５】
0005192670.tif 000006
【図６】
0005192670.tif 000007
【図７】
0005192670.tif 000008
【図８】
0005192670.tif 000009
【図９】
0005192670.tif 000010
【図１０】
0005192670.tif 000011
【図１１】
0005192670.tif 000012
【図１２】
0005192670.tif 000013
【図１３】
0005192670.tif 000014
【図１４】
0005192670.tif 000015
【図１５】
0005192670.tif 000016
【図１６】
0005192670.tif 000017
【図１７】
0005192670.tif 000018
【図１８】
0005192670.tif 000019
【図１９】
0005192670.tif 000020
【図２０】
0005192670.tif 000021
【図２１】
0005192670.tif 000022
【図２２】
0005192670.tif 000023
【図２３】
0005192670.tif 000024
【図２４】
0005192670.tif 000025
【図２５】
0005192670.tif 000026
【図２６】
0005192670.tif 000027
【図２７】
0005192670.tif 000028
【図２８】
0005192670.tif 000029
【図２９】
0005192670.tif 000030
【図３０】
0005192670.tif 000031
【図３１】
0005192670.tif 000032
【図３２】
0005192670.tif 000033
【図３３】
0005192670.tif 000034
【図３４】
0005192670.tif 000035
【図３５】
0005192670.tif 000036
【図３６】
0005192670.tif 000037